(57)【要約】【課題】制電性だけでなく防ダニ性をも有する防ダニ制電性ミシン糸および繊維製品を提供する。【解決手段】ミシン糸であって、導電性繊維が混用されており、かつ防ダニ加工が施されている。【選択図】なし【特許請求の範囲】
【請求項１】
ミシン糸であって、導電性繊維が混用されており、かつ防ダニ加工が施されてなることを特徴とする防ダニ制電性ミシン糸。
【請求項２】
前記導電性繊維がカーボンブラックを用いた導電性繊維である、請求項１に記載の防ダニ制電性ミシン糸。
【請求項３】
ポリエステル繊維またはナイロン繊維を含む、請求項１または請求項２に記載の防ダニ制電性ミシン糸。
【請求項４】
洗濯１０回後の防ダニ効果が洗濯前対比５０％以上である、請求項１〜３のいずれかに記載の防ダニ制電性ミシン糸。
【請求項５】
請求項１〜４のいずれかに記載の防ダニ制電性ミシン糸を用いてなる繊維製品。
【請求項６】
全ての防ダニ制電性ミシン糸が繋がるよう縫製してなる、請求項５に記載の繊維製品。
【発明の詳細な説明】
【技術分野】
【０００１】
本発明は、制電性だけでなく防ダニ性をも有する防ダニ制電性ミシン糸および繊維製品に関する。
【背景技術】
【０００２】
従来、ポリエステル繊維と導電性繊維などを用いた制電性ミシン糸が提案されている（例えば、特許文献１参照）。
【先行技術文献】
【特許文献】
【０００３】
【特許文献１】特開２０００−１１００４２号公報
【発明の概要】
【発明が解決しようとする課題】
【０００４】
本発明者は縫い孔からダニが侵入することを見出し、本発明は発見に基づきされたものであり、その目的は、制電性だけでなく防ダニ性をも有する防ダニ制電性ミシン糸および繊維製品を提供することにある。
【課題を解決するための手段】
【０００５】
本発明者は上記の課題を達成するため鋭意検討した結果、ミシン糸を構成する繊維や加工などを巧みに工夫することにより、制電性だけでなく防ダニ性をも有する防ダニ制電性ミシン糸および繊維製品が得られることを見出し、さらに鋭意検討を重ねることにより本発明を完成するに至った。
【０００６】
かくして、本発明によれば「ミシン糸であって、導電性繊維が混用されており、かつ防ダニ加工が施されてなることを特徴とする防ダニ制電性ミシン糸。」が提供される。
【０００７】
その際、前記導電性繊維がカーボンブラックを用いた導電性繊維であることが好ましい。また、ミシン糸が、ポリエステル繊維またはナイロン繊維を含むことが好ましい。また、洗濯１０回後の防ダニ効果が洗濯前対比５０％以上であることが好ましい。
また、本発明によれば、前記の防ダニ制電性ミシン糸を用いてなる繊維製品が提供される。その際、全ての防ダニ制電性ミシン糸が繋がるよう縫製していることが好ましい。
【発明の効果】
【０００８】
本発明によれば、制電性だけでなく防ダニ性をも有する防ダニ制電性ミシン糸および繊維製品が得られる。
【発明を実施するための形態】
【０００９】
以下、本発明の実施の形態について詳細に説明する。まず、本発明のミシン糸において、導電性繊維が混用されている。導電性繊維が混用されてない場合は、ミシン糸の制電性が低下し好ましくない。
【００１０】
かかる導電性繊維としては特に限定されないが、優れた制電性を得る上でカーボンブラックを用いた導電性繊維が好ましい。例えば、特開平４−１５３３０６号公報に記載されているような、カーボンブラックを含む樹脂が芯部または島部に配された複合繊維が好ましい。
【００１１】
ミシン糸を主として（好ましくは６０重量％以上、特に好ましくは８０〜９８重量％）構成する繊維としては特に限定されず、ポリエステル繊維、アクリル繊維、ナイロン繊維、レーヨン繊維、アセテート繊維、さらには、綿、ウール、絹などの天然繊維やこれらを複合したものが使用可能であるが、特にポリエステル繊維またはナイロン繊維が好ましい。マテリアルリサイクルまたはケミカルリサイクルされた、ポリエステル（例えば、ポリエチレンテレフタレートやポリトリメチレンテレフタレートなど）やナイロンなども好ましい。また、特開２００４−２７００９７号公報や特開２００４−２１１２６８号公報に記載されているような、特定のリン化合物およびチタン化合物を含む触媒を用いて得られたポリエステルであってもよい。さらに前記ポリエステルには、必要に応じて、微細孔形成剤（有機スルホン酸金属塩）、着色防止剤、熱安定剤、難燃剤（三酸化二アンチモン）、蛍光増白剤、着色顔料、帯電防止剤（スルホン酸金属塩）、吸湿剤（ポリオキシアルキレングリコール）、抗菌剤、その他の無機粒子の１種以上が含まれていてもよい。ポリエステルやナイロンを１成分とする複合繊維でもよい。
【００１２】
前記繊維としては、長繊維（マルチフィラメント）でもよいし短繊維（紡績糸、「スパン糸」ともいう。）でもよい。また、非捲縮糸（非捲縮マルチフィラメント）でもよいし捲縮糸（仮撚捲縮加工糸など）でもよい。さらには、インターレース加工やタスラン（登録商標）加工が施された空気加工糸でもよい。
【００１３】
前記繊維の総繊度としては、３０〜２００ｄｔｅｘが好ましい。また、単糸数は１５〜３００本が好ましい。
【００１４】
また、前記繊維において、単繊維横断面形状は特に限定されず、丸、三角、扁平、中空など公知の断面形状でよい。
【００１５】
本発明のミシン糸には防ダニ加工が施されている。その際、用いる防ダニ剤としては公知のものでよい。例えば、特開２００５−１１３３３２号公報に記載されているような、２−ヒドロキシプロパン酸アルキルまたはアルケニルを含有する防ダニ剤、特開２００５−５３８２７号公報に記載されているセバシン酸ジエチルおよびまたはセバシン酸ジイソプロピルを含有する防ダニ剤、特許第５８８３９１９号公報に記載されているような、銀、銅、酸化亜鉛、硫化亜鉛など含有する防ダニ剤、特開２００２−３３９２４１号公報に記載されているようなピレスロイド系化合物を含有する防ダニ剤など、特に限定されない。防ダニ加工の加工方法は特に限定されず公知の方法でよい。
【００１６】
本発明のミシン糸の製造方法としては、例えば、前記のような導電性繊維とミシン糸を主として構成する繊維を用いて、下撚を施した複数本の糸条を下撚とは逆方向に合撚することが好ましい。次いで、前記のような防ダニ加工を施すとよい。
【００１７】
その際、防ダニ加工の前または後の工程において、常法の染色仕上げ加工、吸水加工、撥水加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００１８】
かくして得られたミシン糸は前記の構成を有するので、制電性だけでなく防ダニ性をも有する。
【００１９】
かかる防ダニ性としては、洗濯１０回後の防ダニ効果が洗濯前対比５０％以上（より好ましくは７０％以上、特に好ましくは９０％以上）であることが好ましい。なお、防ダニ性は、例えば、特開２００５−１１３３３２号公報に記載のような公知の方法で測定可能である。
【００２０】
次に、本発明の繊維製品は、前記ミシン糸を用いてなる繊維製品である。かかる繊維製品には、帽子、手袋、衣服、寝具、インテリア製品などが含まれる。また、衣服には、スカート、パンツ、スポーツ衣料、ユニフォーム、病院衣、作業衣などが含まれる。また、寝具には、掛寝具、敷寝具、まくらなどが含まれる。また、インテリア製品にはクッション、座布団、カーテンなどが含まれる。
【００２１】
かかる繊維製品は前記ミシン糸を用いているので、縫い孔からダニが侵入することを防止することができ、また、制電性にも優れる。その際、全ての防ダニ制電性ミシン糸が繋がるよう縫製（キルト）している状態が特に制電性に優れ、好ましい。特に、防ダニ制電性ミシン糸が格子状に配されていることが好ましい。その際、マス数としては、１０〜５０マスの範囲であることが好ましい。また、１マスの大きさとしては（５〜１００ｃｍ）×（５〜１００ｃｍ）（より好ましくは（２０〜５０ｃｍ）×（２０〜５０ｃｍ））の範囲内であることが好ましい。
【実施例】
【００２２】
以下、実施例をあげて本発明を詳細に説明するが、本発明はこれらによって何ら限定されるものではない。
【００２３】
（１）防ダニ性
洗濯前のミシン糸と、ＪＩＳ  Ｌ１９３０  Ｃ４Ｎ  平干し  ネットにより洗濯を１０回行った後ミシン糸について、公知の防ダニ性評価を行った。
【００２４】
［実施例１］
市販の導電性繊維（カーボンブラック含有）１本と、＃６０／１ポリエステル繊維１００％からなるスパン糸２本を共に撚り合わせ熱セットを行った後染色加工を行い、次いで、公知の防ダニ剤を用いて防ダニ加工を施すことにより本発明のミシン糸を得た。かかるミシン糸は、制電性だけでなく防ダニ性にも優れていた。洗濯１０回後の防ダニ効果が洗濯前対比９０％以上であった。
【００２５】
次いで、かかるミシン糸を用いて全てのミシン糸が繋がるよう、格子状（マス数  ４マス×５マス＝２０マス、１マスの大きさ３０ｃｍ×３６ｃｍ）に縫製（キルト）して掛け布団（巾１５０ｃｍ、長さ２１０ｃｍ）を縫製したところ、縫い孔からダニが侵入することを防止することができ、また、制電性にも優れるものであった。
【００２６】
［比較例１］
実施例１において、防ダニ加工を施さないこと以外は実施例１と同様にしてミシン糸を得た。かかるミシン糸は制電性に優れるものであるが防ダニ性には劣るものであった。
【産業上の利用可能性】
【００２７】
本発明によれば、制電性だけでなく防ダニ性をも有する防ダニ制電性ミシン糸および繊維製品が提供され、その工業的価値は極めて大である。